(57)【特許請求の範囲】
【請求項１】
遊技面を備えた前面扉の一辺部が本体ケースに枢支され前記一辺部に向かい合う他辺部が水平方向に回動可能とされて前記前面扉が前記本体ケースに対して開閉する遊技機に用いられ、前記前面扉を前記本体ケースに施錠する遊技機用施錠装置において、
前記本体ケースのうち前記前面扉の他辺部に対面可能な位置において前記本体ケースの高さ方向の中間領域に設けられた被係止部と、
前記前面扉のうちこれの他辺部の側に設けられ前記本体ケースの被係止部に対面可能に前記前面扉の高さ方向の中間領域に設けられたロック部とで構成されており、
前記ロック部は、
前記本体ケースの被係止部に係止する係止位置と前記本体ケースの被係止部に係止しない非係止位置とに切替可能に設けられた係止爪部材と、
前記前面扉に固定され前記係止爪部材を保持するボディと、
前記ボディに一体的に設けられ前記本体ケースの一部に乗り上げ可能であり、乗り上げに伴い扉下がりを矯正するとともに前記係止爪部材を前記被係止部に係止することができる正しい高さ位置に誘導する乗り上げ部とをもつことを特徴とする遊技機用施錠装置。
【請求項２】
請求項１において、前記ロック部のボディは板状材で構成されており、前記乗り上げ部は前記ロック部のボディを構成する板状材と一体的に成形されていることを特徴とする遊技機用施錠装置。
【請求項３】
請求項１または請求項２において、前記本体ケース及び前記前面扉のうちの一方は、
当該一方の上部側及び下部側に設けられ、前記前面扉を前記本体ケースに閉じて施錠したとき前記本体ケース及び前記前面扉のうちの他方に弾発性を有して接触するストッパ部材を有することを特徴とする遊技機用施錠装置。
【請求項４】
請求項１〜請求項３のいずれか一項において、更に、前記ロック部は、前記ロック部のボディに回動可能に設けられた保持部材と、前記保持部材を回動させることにより前記係止爪部材を前記非係止位置に退避させるキー操作部とを有することを特徴とする遊技機用施錠装置。
【請求項５】
請求項１〜請求項４のいずれか一項において、前記乗り上げ部が乗り上げる前記本体ケースの一部は、前記乗り上げ部を案内する案内面と、前記乗り上げ部が摺動する摺動面とをもつことを特徴とする遊技機用施錠装置。
【請求項６】
請求項１〜請求項５のいずれか一項において、前記乗り上げ部は、前記本体ケースの一部を案内する案内面と、前記本体ケースの一部が摺動する摺動面とを有することを特徴とする遊技機用施錠装置。
【発明の詳細な説明】
【０００１】
【発明の属する技術分野】
本発明は遊技面を備えた前面扉を閉じた状態で遊技機の本体ケースに施錠する遊技機用施錠装置に関する。
【０００２】
【従来の技術】
従来、パチンコ機やスロットマシン等の遊技機においては、遊技面を備えた前面扉を遊技機の本体ケースに施錠する施錠装置が提供されている。この施錠装置として、特開平８ー１５５１１８号（以下、文献１という）に開示されているように、正面板と側面板とにより断面Ｌ字形に形成された固定プレートを用い、固定プレートを前面扉に取り付けると共に、この固定プレ−トの側面板に別体の施錠扞を上下動可能に取り付けたものが知られている。このものでは、前面扉を開放回動させるときには、キー操作により施錠枠を上方に移動させることにより、施錠枠の係合爪を遊技機の本体ケースの被係止部から離脱させる。この状態で前面扉は遊技機の本体ケースに対して開放される。このものでは、ロック部を構成する固定プレート及び施錠枠は、前面扉の高さ寸法のほぼ全域にわたり長く延設されている。即ち、ロック部が前面扉の高さ寸法のかなりの長さを占める方式を採用している。
【０００３】
また、遊技面をもつ前面扉は多くの部品を備えているため、比較的重量があり、前面扉を遊技機の本体ケースに対して回動させて開放させる際には、前面扉が下方に若干垂下する『扉下がり』が起こることが多い。このため、遊技面をもつ前面扉を遊技機の本体ケースに閉じるときには、遊技面をもつ前面扉を遊技機の本体ケースに対して、正しい高さ位置に誘導する必要がある。これを行う手段として実用新案第３０３３６１０号（以下、文献２という）に係る技術が開示されている。このものによれば、遊技機の本体ケースの金具には転動可能な転動ローラを取り付け、遊技面をもつ前面扉の金具には挿入係止片を形成している。遊技面をもつ前面扉を遊技機の本体ケースに閉じるとき、挿入係止片が転動ローラに乗り上げつつ遊技機の本体ケースの金具に下側からあてがわれる。挿入係止片及び転動ローラは、前面扉を閉じる際に前面扉を持ち上げる乗り上げ機構を構成している。
【０００４】
【発明が解決しようとする課題】
ところで遊技機では、遊技面をもつ前面扉が本体ケースに閉じた状態で施錠されているときであっても、針金などの異物を前面扉と本体ケースとの間に侵入させ、これにより固定プレート及び施錠枠を変形させ、遊技上の不正操作が行われる可能性が少なからずある。この場合、文献１に係る技術によれば、前述したように、ロック部を構成する固定プレート及び施錠枠は前面扉のほぼ全高寸法にわたり長く延設されており、ロック部が前面扉の高さ寸法のかなりの長さを占める方式を採用している。このため、針金などの異物を前面扉と本体ケースとの間に侵入させ、ロック部の固定プレート及び施錠枠を変形させる不正操作が、前面扉の高さ寸法のほぼ全域にわたり行われる可能性がある。
【０００５】
更に、文献１に係る技術によれば、遊技面をもつ前面扉は多くの部品を備えているため比較的重量を有し、前述したように、前面扉を遊技機本体に対して回動させて開閉させる際には、前面扉が自重で下方に若干垂下する『扉下がり』が起こることが多い。この場合、遊技面をもつ前面扉を遊技機の本体ケースに良好に閉じることができないおそれがある。このように遊技面をもつ前面扉を遊技機の本体ケースに良好に閉じることができないと、針金などの異物を遊技機の本体ケースと前面扉との間に侵入させるなどして遊技上の不正操作が行われるおそれが高くなり、好ましいことではない。
【０００６】
上記した文献２に係る技術によれば、遊技面をもつ前面扉を遊技機の本体に閉じるとき、挿入係止片が転動ローラに乗り上げつつ遊技機の本体ケースの金具に下側からあてがわれるため、『扉下がり』が発生したとしても、遊技面をもつ前面扉を遊技機の本体ケースに対して良好に閉じることができる利点が得られる。しかしながら文献２に係る技術によれば、前面扉を遊技機の本体ケースに施錠するロック部は、転動ローラ等の乗り上げ機構とは別の場所においてそれぞれを独立させて遊技機に取り付けられている。このため、前面扉と遊技機の本体ケースとの限られたスペースを無駄に使うと共に、製作コストも高くなってしまう。
【０００７】
本発明は上記した実情に鑑みてなされたものであり、ロック部が前面扉の高さ寸法のかなりの長さを占める方式を廃止して不正操作のおそれを低減し、更に、前面扉と遊技機の本体ケースとの限られたスペースを節約しつつ、且つ、製作コストの低廉化を図りつつ、前面扉を閉じるとき扉下がりを矯正することができる遊技機用施錠装置を提供することを課題とするにある。
【０００８】
【課題を解決するための手段】
本発明に係る遊技機用施錠装置は、遊技面を備えた前面扉の一辺部が本体ケースに枢支され前記一辺部に向かい合う他辺部が水平方向に回動可能とされて前記前面扉が前記本体ケースに対して開閉する遊技機に用いられ、前記前面扉を前記本体ケースに施錠する遊技機用施錠装置において、  前記本体ケースのうち前記前面扉の他辺部に対面可能な位置において前記本体ケースの高さ方向の中間領域に設けられた被係止部と、前記前面扉のうちこれの他辺部の側に設けられ前記本体ケースの被係止部に対面可能に前記前面扉の高さ方向の中間領域に設けられたロック部とで構成されており、前記ロック部は、前記本体ケースの被係止部に係止する係止位置と前記本体ケースの被係止部に係止しない非係止位置とに切替可能に設けられた係止爪部材と、前記前面扉に固定され前記係止爪部材を保持するボディと、前記ボディに一体的に設けられ前記本体ケースの一部に乗り上げ可能であり、乗り上げに伴い扉下がりを矯正するとともに前記係止爪部材を前記被係止部に係止することができる正しい高さ位置に誘導する乗り上げ部とをもつことを特徴とするものである。
【０００９】
本発明に係る遊技機用施錠装置によれば、遊技面をもつ前面扉が遊技機の本体ケースに対して閉じるときには、前面扉の他辺部を水平方向に回動させて遊技機の本体ケースに接近させる。このとき、前面扉がこれの自重で垂下する『扉下がり』が発生しているときであっても、前面扉が閉じる際に、ロック部の乗り上げ部が本体ケースの一部に乗り上げる。従って上記したように『扉下がり』が発生しているときであっても、『扉下がり』が矯正され、乗り上げによりロック部の係止爪部材が正しい高さ位置に誘導される。
【００１０】
更に前面扉を閉じ方向に回動させれば、ロック部の係止爪部材が係止位置となり、本体ケースの被係止部に係止し、ロックが行われる。このように前面扉がロックされた状態では、前面扉のロック部の係止爪部材が本体ケースの被係止部に係止されており、遊技機の本体ケースに対して開くことができない。
【００１１】
本発明に係る遊技機用施錠装置によれば、乗り上げ部はロック部の主要素であるボディに一体的に設けられているため、ロック部を前面扉に組み付ければ、乗り上げ部は自動的に前面扉に組み付けられる。
【００１２】
仮に乗り上げ部をロック部と一体ではなく、別体とすることもできる。このように乗り上げ部をロック部と別体とした場合には、乗り上げ部はロック部とは独立して前面扉に取り付けられることになる。この場合、乗り上げ部自体の組付誤差とロック部自体の組付誤差との双方が相乗的に影響するおそれがある。この場合、ロック部の高さ位置が本来あるべき高さ位置とならず、ロック部による正確なロック機能が損なわれるおそれがある。この点本発明に係る遊技機用施錠装置によれば、ロック部の主要素であるボディを構成する板状材に乗り上げ部が一体的に設けられているため、ロック部を前面扉に組み付ければ、ロック部と一体的な乗り上げ部が前面扉に自動的に組み付けられることになり、組付誤差による影響が軽減される。
【００１３】
仮に乗り上げ部とロック部が別部品であると、一般的には、乗り上げ部はロック部から独立して離れた位置に組み付けられることになる。この場合、乗り上げ部とロック部とが離間しがちとなる。この場合、乗り上げ部が補助部材によりΔＤ持ち上げられたら、ロック部の乗り上げ量はΔＤよりもかなり小さくなるおそれがある。乗り上げ部とロック部との間の部材の弾性撓み等の影響を無視できないためである。この場合、『扉下がり』に対処すべく乗り上げ部の乗上量を必要以上に大きく設定することになりがちである。この点本発明に係る遊技機用施錠装置によれば、乗り上げ部がロック部のボディと一体的に設けられているため、乗り上げ部とロック部係止爪部材との距離を極力近づけることができる。このため乗り上げ部が補助部材によりΔＤ持ち上げられたら、ロック部の係止爪部材の持ち上げ量もΔＤ相当量となる。乗り上げ部とロック部との間の距離を短かくできるためである。このため上記した『扉下がり』に対処すべく、乗り上げ部の乗上量を少な目に設定するのに有利である。
【００１４】
本発明に係る遊技機用施錠装置によれば、例えば次の態様を採用することができる。ロック部のボディはロック部の基体となる部位であり、板状材で構成することができる。ロック部のボディを構成する板部材の材質としては、強度及び耐摩耗性を有することが好ましい。鉄系合金やアルミ系合金等の金属、チタン系合金、硬質樹脂などが例示される。鉄系合金としては、炭素鋼、合金鋼を採用できる。耐久性及び長寿命化を考慮すると、ボディを構成する板部材の材質としては、金属を採用できる。
【００１５】
ロック部の乗り上げ部としては、ロック部のボディを構成する板状材と一体的に成形されていることが好ましい。ロック部のボディが金属の板状材で形成されている場合には、板状材をプレス加工で成形する際に、乗り上げ部をロック部のボディに一体的に成形することができる。ボディが樹脂の板状材で形成されている場合には、板状部材を成形する際に、乗り上げ部をロック部のボディに同時に成形することができる。
【００１６】
本体ケース及び前面扉のうちの一方は、ストッパ部材を有することが好ましい。ストッパ部材としては、本体ケース及び前面扉のうちの一方において上部側及び下部側のそれぞれに設けられていることが好ましい。ストッパ部材は、前面扉を閉じて本体ケースに施錠したとき本体ケース及び前面扉のうちの他方に弾発性を有して接触する。このため、前面扉を閉じて遊技機の本体ケースに施錠したとき、遊技機の本体ケースと前面扉との間の隙間、隙間に起因するガタが防止される。従って、遊技機を不正操作させる針金などの異物が遊技機の本体と前面扉との境界に挿入されることを防止するのに有利となる。
【００１７】
更にロック部としては、ボディに回動可能に設けられ係止爪部材を係止位置に保持するための保持部材と、保持部材を他方向に回動させることにより係止爪部材を非係止位置とするキー操作部とを有することが好ましい。キー操作部としては、キーの挿入及びキーの回動操作により操作されるキーシリンダを採用することができる。
【００１８】
ロック部に形成されている乗り上げ部が乗り上げる本体ケースの一部としては、乗り上げ部を案内する案内面と、乗り上げ部が摺動する摺動面とをもつ態様を採用することができる。摺動面としては、前面扉の回動方向に沿っている態様を採用できる。案内面としては円弧面、傾斜面で形成できる。
【００１９】
ロック部の乗り上げ部としては、本体ケースの一部を案内する案内面と、本体ケースの一部が摺動する摺動面とを有する態様を採用することができる。乗り上げ部の摺動面としては、前面扉の回動方向に沿っている態様を採用できる。乗り上げ部の案内面としては円弧面、傾斜面で形成できる。
【００２０】
【発明の実施の形態】
以下、本発明の実施形態について図面を参照して説明を加える。図１は遊技機であるスロットマシンの前面扉３を解錠して開放している状態を模式的に示す。図１に示すように、遊技機は、遊技機の本体ケース１と、遊技者に対面するゲーム面である遊技面３ａを備えた前面扉３とを備えている。本体ケース１は遊技機の主要機構を備えており、上面１ｕ，下面１ｄをもつ。前面扉３のうちの高さ方向に沿った一辺部３０が枢支具としてのヒンジ３２を介して枢支されており、一辺部３０に向かい合う他辺部３１は水平方向に回動可能とされている。前面扉３は上面３ｕ，下面３ｄをもつ。前面扉３の回動方向は水平方向（矢印Ａ１方向，Ａ２方向）である。矢印Ａ１方向は前面扉３の閉じ方向を示す。矢印Ａ２方向は前面扉３の開き方向を示す。前面扉３の一辺部３０はヒンジ３２からの回動半径が小さい側である。前面扉３の他辺部３１はヒンジ３２からの回動半径が大きい側である。図１に示すように、本体ケース１の他辺部１１は前面扉３の他辺部３１に対面する。本体ケース１の一辺部１０は前面扉３の一辺部３０に対面する。
【００２１】
図１に示すように、本体ケース１の他端部１１においては、本体ケース１の高さ方向の中間領域には、被係止部としてのストライカ４が取付板４０を介して設けられている。ストライカ４は、前面扉３の他辺部３１に対面する側に設けられており、本体ケース１の他辺部１１においてこれの高さ方向の中間領域に設けられている。ストライカ４は横方向に軸状に突出している。
【００２２】
ストライカ４は金属製でも硬質樹脂製でも良い。場合によっては、ストライカ４は、金属製または硬質樹脂製の芯体と、芯体の外周面に被覆された芯体よりも比較的軟質な樹脂またはゴム材で形成された被覆層とで構成することができる。このように被覆層を設ければ、ストライカ４とロック部６との間とのがたが抑えられ、ストライカ４とロック部６との係止性が向上する。また前面扉３を閉じるときの異音の低減に有効である。
【００２３】
図２はロック部６がロックされている状態を示す。図２において前面扉３のうち遊技者に対面する遊技面３ａ側の所定部位には、操作部１５が設けられている。操作部１５は、スロットマシンの絵柄の回転を開始するスタートボタン１６と、スロットマシンの絵柄の回転を停止させる複数のストップボタン１７とを有する。図２ではストップボタン１７は１個のみ図示されている。
【００２４】
図２〜図５に示すように、本体ケース１には補助部材５が取付具５４により取り付けられている。補助部材５は本体ケース１の一部を構成するものであり、本体ケース１のうち前面扉３の他辺部３１と対面できるように取り付けられている。即ち、補助部材５は、本体ケース１の他辺部１１においてこれの高さ方向の中間領域に対面するように設けられている。補助部材５は金属製（一般的には鋼系）の板状材を曲成して形成されており、円弧形状をなす第１案内面５１と、第１案内面５１に連設され且つ後述する乗り上げ部６２が摺動可能な第１摺動面５２とをもつ。第１案内面５１の円弧形状としては、真円形状の円弧の一部を構成する形態でも良いし、楕円形状や長円形状の円弧の一部を構成する形態でも良い。第１摺動面５２は水平方向に沿っており、具体的には前面扉３の開閉方向（矢印Ａ２，Ａ１方向）に沿って延設されている。
【００２５】
図１から理解できるように、前面扉３のうち回動半径が大きい側である他辺部３１には、ロック部６が設けられている。ロック部６は前面扉３の他辺部３１においてこれの高さ方向の中間領域に設けられており、本体ケース１のストライカ４に対面可能とされている。
【００２６】
図２から理解できるように、ロック部６は、ロック部６の基体として機能する金属製のボディ６０と、被係止部であるストライカ４に係止してロック機能を果たす係止爪部材６１と、乗り上げ部６２とをもつ。更に、ロック部６は、ポールとも呼ばれる保持部材６３と、保持部材６３と係止爪部材６１とを連動させるバネ部材６４と、キ−６６により操作されるキー操作部として機能するキーシリンダ６５とを有する。ボディ６０は、前面扉３のうちに他辺部３１においてこれの高さ方向の中間領域に固定されている。ボディ６０は剛性を有する金属（一般的には鋼系）で形成された板状材で形成されている。
【００２７】
図２から理解できるように、係止爪部材６１はボディ６０に第１枢支部６１ａ（ピン）を介して高さ方向（矢印Ｂ１，Ｂ２方向）に沿って回動可能に設けられている。係止爪部材６１はほぼ扇形に類する形状をなしており、ストライカ４と係合するＵ溝である係止溝６１０と、係止溝６１０に対面する突起状の第１係止爪６１２と、第１係止爪６１２から離れた位置に形成された突起状の第２係止爪６１４とを有する。係止爪部材６１は、遊技機の本体ケース１のストライカ４と第１係止爪６１２とが係止する係止位置Ｐ１（図２参照）と、遊技機の本体ケース１のストライカ４と第１係止爪６１２とが係止せずに離脱している非係止位置Ｐ２とに切替可能に設けられている。図２に示すように、キーシリンダ６５は、前面扉３のうち遊技者に対面する遊技面３ａ側で開口するキー溝６５ａを有する。キー６６がキーシリンダ６５のキー溝６５ａに差し込まれると、キー６６に刻まれた凹凸に図略のタンブラピンが係合し、図略のロータが回転操作可能となる。なお図２に示すように、リセット器６７はフォトセンサで形成されている。
【００２８】
本実施形態によれば、遊技場の店員などの作業者がキー６６をキーシリンダ６５のキー溝６５ａに差し込み、キー６６を他方向（遊技機のリセット方向）に回動操作すれば、キーシリンダ６５のロータが回転操作される。これにより操作子６５ｍは、リセット器６７であるフォトセンサの二股部を通過する。そして、遊技機に発生したエラー信号（例えばコイン詰まりなどによりエラー信号）をリセットするリセット信号をリセット器６７が出力し、遊技機のリセットが行なわれる。このように作業者はキーシリンダ６５のキー溝６５ａにキー６６を差込んで他方向（遊技機をリセットするリセット方向）に回動操作すれば、前面扉３を開放させることなく遊技機のリセットを行うことができる。
【００２９】
また作業者がキー６６をキーシリンダ６５に差し込んだ状態でキー６６を一方向（リセット方向と逆方向）に回動操作すれば、キーシリンダ６５の図略のロータが逆方向に回転操作され、ひいては、キーシリンダ６５の操作子６５ｍが図２及び図３の紙面垂直方向に沿って回動する。この結果、回動する操作子６５ｍにより保持部材６３のアーム部６３ｂが押圧されて矢印Ｃ２方向に沿って第２枢支部６３ａを中心として回動し、前面扉３を解錠することができる。なお当然のことながら、キー６６が不適切であれば、キー６６に刻まれた凹凸は整合しないため、ロータは回転しないので、解錠は行われない。
【００３０】
図２〜図６に示すように、ロック部６のボディ６０を構成する板状材の上部に対して絞りを伴う成形を施すことにより、ボディ６０と一体的な第１補強壁部６０１を形成している。第１補強壁部６０１は断面でＬ字形状をなしており、ボディ６０の上部を強化している。第１補強壁部６０１は、先端部に形成された円弧面６０１ａと、水平方向に沿った延設面６０１ｂとを有する。第１補強壁部６０１の円弧面６０１ａとしては、真円形状の円弧の一部を構成する形態でも良いし、楕円形状や長円形状の円弧の一部を構成する形態でも良い。
【００３１】
更にロック部６のボディ６０を構成する板状材の下部に対して絞りを伴う成形を施すことにより、ボディ６０と一体的な第２補強壁部６０２を形成している。第２補強壁部６０２は断面でＬ字形状をなしており、ボディ６０の下部を強化している。ボディ６０の第１補強壁部６０１及び第２補強壁部６０２は、断面でＬ字形状に成形されて突設されているため、第１補強壁部６０１と第２補強壁部６０２との間に薄型の機構作動室６５０を形成している。機構作動室６５０には、後述する係止爪部材６１、保持部材６３、バネ部材６４が収容されている。機構作動室６５０は、係止爪部材６１、保持部材６３、バネ部材６４が作動できるスペースを形成している。なおボディ６０の第１補強壁部６０１と第２補強壁部６０２との間は、ストライカ４を挿入するストライカ挿入空間６６０とされている。
【００３２】
本実施形態に係る第２補強壁部６０２は、乗り上げ部６２も兼用している。即ち、乗り上げ部６２は、ボディ６０を構成する板状材の下部に対して絞りを伴う曲成を施す成形により、ボディ６０と一体的に設けられている。このように乗り上げ部６２はボディ６０と一体的に設けられているため、乗り上げ部６２と係止爪部材６１の係止溝６１０の係止位置との間の高さ距離Ｌ１（図３参照）が短縮されている。高さ距離Ｌ１としてはロック部６の種類にもよるが、例えば、１〜３センチメートル程度と短くすることができる。
【００３３】
乗り上げ部６２は、本体ケース１の一部である補助部材５に乗り上げ可能とされており、断面でＬ字形状とされている。具体的には、図２に示すように、ロック部６の一部である乗り上げ部６２は、これの先端部に設けられた第２案内面６０４と、第２案内面６０４に連設され補助部材５が相対的に摺動する第２摺動面６０５とを有する。第２案内面６０４は、遊技機の本体ケース１の一部である補助部材５に案内されるものであり、円弧形状をなしている。第２案内面６０４を構成する円弧形状としては、真円形状の円弧の一部を構成する形態でも良いし、楕円形状や長円形状の円弧の一部を構成する形態でも良い。乗り上げ部６２の第２摺動面６０５は水平方向に沿っており、具体的には前面扉３の開閉方向（矢印Ａ２，Ａ１方向）に沿って延設されている。
【００３４】
なお乗り上げ部６２はロック部６のボディ６０の下部に設けられているため、係止爪部材６１，保持部材６３,ストライカ４の下方に位置している。
【００３５】
図６から理解できるように、乗り上げ部６２の横端部６２ｘは自由端状とされており、同様に、補強部材５の横端部５ｘは自由端状とされている。自由端状であれば、高さ方向における変形許容性が得られる。なお図６では、便宜上バネ部材６４の図示を省略している。
【００３６】
保持部材６３は、係止爪部材６１の係止機能を保持するものであり、ボディ６０に第２枢支部６３ａ（ピン）を介して高さ方向に沿って矢印Ｃ１，Ｃ２方向に沿って回動可能に設けられている。保持部材６３は、扇形状に類似した形状をなしており、キーシリンダ６５に向けて延設されたアーム部６３ｂと、係止爪部材６１の第２係止爪６１４に対して係脱可能な保持爪６３ｃとを有する。即ち、保持部材６３は、係止爪部材６１の第２係止爪６１４と保持爪６３ｃとが係止する係止位置Ｋ１（図２，図３参照）と、係止爪部材６１の第１係止爪６１２と保持爪６３ｃとが係止せずに離脱している非係止位置Ｋ２（図５参照）とに切替可能に設けられている。なお、キーシリンダ６５に差し込まれたキー６６が一方向（リセット方向と逆方向,ロック部６の解錠方向）に回動操作されると、操作子６５ｍにより保持部材６３のアーム部６３ｂは矢印Ｃ２方向（ロック部６の解錠方向,係止爪部材６１の離脱方向）に回動する。
【００３７】
図２に示すように、バネ部材６４はコイルバネであり、保持部材６３と係止爪部材６１との間に架設されている。具体的にはバネ部材６４の一端部である第１リング部６４ａは、保持部材６３の突起状の第１バネ座６３ｅに係合している。バネ部材６４の他端部である第２リング部６４ｂは、係止爪部材６１の突起状の第２バネ座６１ｅに係合している。バネ部材６４は保持部材６３を矢印Ｃ１方向に付勢している共に、係止爪部材６１を矢印Ｂ２方向に付勢している。即ちバネ部材６４は保持部材６３及び係止爪部材６１を互いに逆方向に付勢している。保持部材６３が矢印Ｃ２方向（ロック部６の解錠方向,係止爪部材６１の離脱方向）に回動すると、係止爪部材６１はバネ部材６４に引っ張られて矢印Ｂ２方向（ロック部６の解錠方向,係止爪部材６１の離脱方向）に回動する。
【００３８】
本実施形態に係る遊技機用施錠装置によれば、遊技者に対面する遊技面３ａをもつ前面扉３が遊技機の本体ケース１に施錠されている状態のとき、キーシリンダ６５のキー溝６５ａにキー６６を差し込んでキー６６を一方向（キー６６によるリセット方向と逆方向,ロック部６の解錠方向）に回動操作すれば、操作子６５ｍが図２及び図３の紙面垂直方向に回動し、保持部材６３の被押圧部であるアーム部６３ｂを矢印Ｃ２方向（ロック部６の解錠方向）に沿って押圧操作し、ひいては、保持部材６３の全体が第２枢支部６３ａを中心として矢印Ｃ２方向（ロック部６の解錠方向）に沿って回動する。このように保持部材６３が矢印Ｃ２方向（ロック部６の解錠方向）に沿って回動すると、図５に示すように、保持部材６３の保持爪６３ｃが係止爪部材６１の第２係止爪６１４から退避するため、保持部材６３の保持爪６３ｃと係止爪部材６１の第２係止爪６１４との係止が解除される。そして、矢印Ｃ２方向に回動した保持部材６３がバネ部材６４を介して係止爪部材６１を引き寄せるため、係止爪部材６１が第１枢支部６１ａを中心として矢印Ｂ２方向（ロック部６の解錠方向）に回動する。この結果、図５に示すように、係止爪部材６１の係止溝６１０の向きが非係止方向に変更され、係止爪部材６１の係止溝６１０とストライカ４とが離脱可能となる。即ち、ロック部６によるロック施錠は解錠される。このようにロック部６を解錠した状態で、遊技場の店員などの作業者が前面扉３を矢印Ａ２方向に移動させて開き方向（矢印Ａ２方向）に回動させれば、前面扉３を遊技機の本体ケース１から開放することができる。
【００３９】
次に、遊技面３ａをもつ前面扉３が開放している場合において、前面扉３を遊技機の本体ケース１に対して閉じるときについて説明を加える。このとき、図１から理解できるように、作業者は、ヒンジ３２を中心として前面扉３を矢印Ａ１方向に回動させて、前面扉３の回動半径が大きい側の他辺部３１を遊技機の本体ケース１に接近させる。このとき、前面扉３は遊技用の各種機器を搭載しているため、比較的重量を有しており、前面扉３がこれの自重で垂下する『扉下がり』が発生しているときがある。このように『扉下がり』が発生している場合には、ロック部６の係止爪部材６１の高さ位置は、本来あるべき高さ位置よりも低めとなる。このように前面扉３の『扉下がり』が発生しているときであっても、前面扉３を矢印Ａ１方向に回動させる閉じ操作の進行につれて、図４から理解できるように、ロック部６の乗り上げ部６２の第２案内面６０４が補助部材５の第１案内面５１に乗り上がる。乗り上がりに伴い、ロック部６の乗り上げ部６２は前面扉３と共に持ち上がり、この結果、ロック部６の係止爪部材６１は、本来あるべき正しい高さ位置に誘導され、『扉下がり』が矯正される。
【００４０】
このとき図４に示すように、ロック部６の乗り上げ部６２の第２案内面６０４は円弧状であり、補助部材５の第１案内面５１も円弧状であるため、ロック部６の乗り上げ部６２は、前面扉３と共に本体ケース１の補助部材５に円滑に乗り上げることができる。乗り上げた後には、乗り上げ部６２は、前面扉３の閉じ方向（矢印Ａ１方向）に補助部材５の第１摺動面５２に沿って摺動する。この結果、ロック部６の乗り上げ部６２は、前面扉３と共に正しい高さ位置に誘導される。これにより、図５から理解できるように、前面扉３のロック部６の係止爪部材６１の係止溝６１０も正しい高さ位置に誘導され、係止爪部材６１の係止溝６１０がストライカ４に正確に対向するようになる。この状態で、作業者が前面扉３を矢印Ａ１方向に回動させて更に閉じれば、ストライカ４と係止爪部材６１とが更に相対的に接近する。このため図３から理解できるように、係止爪部材６１のうち係止溝６１０を区画する当接面６１０ｃはストライカ４に押されるため、係止爪部材６１は第１枢支部６１ａを中心として矢印Ｂ１方向（ロック部６の施錠方向,係止爪部材６１の係止方向）に回転する。このため、係止爪部材６１の係止溝６１０の開口が下向きとなり、係止爪部材６１の第１係止爪６１２とストライカ４とが互いに係止される。
【００４１】
このようにストライカ４に押されて係止爪部材６１が第１枢支部６１ａを中心として矢印Ｂ１方向（ロック部６の施錠方向,係止爪部材６１の係止方向）に沿って回動するため、係止爪部材６１の第２バネ座６１ｅも同方向に第１枢支部６１ａを中心として回動し、ひいては、バネ部材６４により保持部材６３が矢印Ｃ１方向（ロック部６の施錠方向,係止爪部材６１の係止方向）に引き寄せられ、第２枢支部６３ａを中心として回転する。
【００４２】
この結果、図３から理解できるように、保持部材６３の保持爪６３ｃが係止爪部材６１の第２係止爪６１４に係止するため、係止爪部材６１は矢印Ｂ２方向（ロック部６の解錠方向,係止爪部材６１の離脱方向）には回転できないように規制される。これによりロック部６のロック機能が得られ、前面扉３は遊技機の本体ケース１に対して開くことができず、ロックされる。なお矢印Ｂ１，Ｂ２方向,矢印Ｃ１，Ｃ２方向は、前面扉３の開閉方向に沿っている。
【００４３】
本実施形態によれば、図１に示すように、前面扉３のうち本体ケース１に対面する部位には複数個の突起状のストッパ部材８が設けられている。具体的には、ストッパ部材８はゴムや樹脂などの弾性材料で形成されており、前面扉３のうち回動半径が大きい側である他辺部３１において上部側及び下部側にそれぞれ設けられている。前面扉３を本体ケース１に閉じた状態で施錠したとき、ストッパ部材８は、本体ケース１の他辺部１１の上部及び下部にそれぞれ弾発性を有して接触する。このため、前面扉３を遊技機の本体ケース１に閉じた状態で施錠しているとき、遊技機の本体ケース１の他辺部１１と前面扉３の他辺部３１との間に生じる隙間が防止され、隙間に起因するガタが防止される。従って、遊技機の不正操作の目的で針金などの異物が遊技機の本体ケース１と前面扉３との境界に挿入されることを防止するのに有利となる。更に前面扉３を遊技機の本体ケース１に閉じる際の衝突衝撃も緩和することができる。なおストッパ部材８は過剰に柔らかすぎると反力を得ることができないため、ある程度の硬さを有することが好ましい。
【００４４】
本実施形態によれば、前記した乗り上げ部６２は、ロック部６の主要素であるボディ６０を構成する板状材に一体的に設けられているため、乗り上げ部６２をロック部６の別部品として前面扉３や本体ケース１に組み付ける必要がなく、コストの低廉化に貢献できる。
【００４５】
また仮に乗り上げ部６２をロック部６と別体として組み付けることもできる。この場合には乗り上げ部６２はロック部６とは独立して前面扉３に取り付けられることになる。この場合、前面扉３と遊技機の本体ケース１との限られたスペースを無駄に使うと共に、製作コストも高くなってしまう。更に乗り上げ部６２自体の組付誤差とロック部６自体の組付誤差との双方の影響が発生するおそれがある。この場合、『扉下がり』に良好に対処することができず、ロック部６の正確なロック機能が損なわれるおそれがある。この点本実施形態によれば、ロック部６の主要素であるボディ６０を構成する板状材に乗り上げ部６２が一体的に設けられているため、前面扉３と遊技機の本体ケース１との限られたスペースを効率よく使うことができると共に、製作コストも低減できる。更に乗り上げ部６２がロック部６と一体的であるため、組付誤差による影響を軽減するのにも有利である。
【００４６】
仮に乗り上げ部６２とロック部６が別部品であると、一般的には、乗り上げ部６２はロック部６から独立して離れた位置に組み付けられることになる。この場合、乗り上げ部６２と係止爪部材６１の係止溝６１０との間の距離が長くなりがちである。この場合、乗り上げ部６２が補助部材５によりΔＤ持ち上げられたら、係止爪部材６１の係止溝６１０の乗り上げ量はΔＤよりもかなり小さくなるおそれがある。乗り上げ部６２と係止爪部材６１の係止溝６１０との間の部材の弾性撓み等の影響を無視できないためである。この場合、『扉下がり』に対処すべく乗り上げ部６２の乗上量を必要以上に大きく設定することになりがちである。
【００４７】
この点本実施形態によれぱ゛乗り上げ部６２がボディ６０を構成する板状材に一体的に設けられているため、乗り上げ部６２と係止爪部材６１の係止溝６１０の係止位置との間の高さ距離Ｌ１（図３参照）を短縮させるのに有利である。このため乗り上げ部６２が補助部材５によりΔＤ持ち上げられたら、ロック部６の係止爪部材６１の係止溝６１０の持ち上げ量もΔＤ相当量となる。乗り上げ部６２と係止爪部材６１の係止溝６１０の係止位置との間の高さ距離Ｌ１をできるだけ短かくできるためである。このため、上記した『扉下がり』に対処すべく、乗り上げ部６２の乗上量を少な目に設定するのに有利である。
【００４８】
なお本実施形態によれば、前面扉３の乗り上げ部６２は、金属製の板状部材を絞りを伴う曲成加工で成形されているため、加工硬化による乗り上げ部６２の強化も期待できる。また補助部材５も金属製の板状部材を絞りを伴う曲成加工で成形されているため、同様に加工硬化による補助部材５の強化も期待できる。このため前面扉３の乗り上げ部６２の乗り上げ性が確保される。
【００４９】
（その他）
上記した実施形態によれば、ストッパ部材８は前面扉３の裏面側の他辺部３１の上部側及び下部側にそれぞれ設けられているが、場合によっては、本体ケース１の他辺部１１の上部側及び下部側にそれぞれ設けることもできる。その他、本発明は上記した実施形態のみに限定されるものではなく、要旨を逸脱しない範囲内で適宜変更して実施できるものである。
【００５０】
上記した記載から次の技術的思想も把握できる。
（付記項１）各請求項において、乗り上げ部を備えたロック部は、前面扉のうち回動半径が大きい他辺部に設けられていることを特徴とする遊技機用施錠装置。
（付記項２）遊技面を備えた前面扉の一辺部が本体ケースに枢支され一辺部に向かい合う他辺部が水平方向に回動可能とされて前面扉が本体ケースに対して開閉する遊技機に用いられ、前面扉を本体ケースに施錠する遊技機用施錠装置において、
本体ケース及び前面扉のうち一方において設けられた被係止部と、本体ケース及び前面扉のうち他方に設けられ被係止部に対面可能に設けられたロック部とで構成されており、
ロック部は、本体ケースの被係止部に係止する係止位置と本体ケースの被係止部に係止しない非係止位置とに切替可能に設けられた係止爪部材と、前面扉に固定され係止爪部材を保持するボディと、ボディに一体的に設けられ本体ケースの一部に乗り上げ可能であり、乗り上げに伴い扉下がりを矯正するとともに係止爪部材を被係止部に係止することができる正しい高さ位置に誘導する乗り上げ部とをもつことを特徴とする遊技機用施錠装置。
（付記項３）各請求項及び各付記項において、乗り上げ部は、金属製のボディを構成する板状材の一部を断面Ｌ字形状（ほぼＬ字形状を含む）に曲成して形成されていることを特徴とする遊技機用施錠装置。乗り上げ部が強化されている。
【００５１】
【発明の効果】
以上説明したように本発明に係る遊技機用施錠装置によれば、針金などの異物を前面扉と本体ケースとの間に侵入させロック部を変形させる不正操作が行われようとしても、ロック部は、前面扉の高さ方向のほぼ全域に延設されているのではなく、前面扉の高さ方向の中間領域に設けられている方式が採用されているため、ロック部が前面扉の高さ方向のほぼ全域に延設されている場合に比較し、針金などの異物でロック部に対して不正操作を行い得る高さの範囲が限定される。
【００５２】
本発明に係る遊技機用施錠装置によれば、前面扉がこれの自重で垂下する『扉下がり』が発生しているときであっても、ロック部の乗り上げ部が本体ケースの一部に乗り上げ、乗り上げによりロック部の係止爪部材が正しい高さ位置に誘導される。更に本発明に係る遊技機用施錠装置によれば、乗り上げ部はロック部の主要素であるボディに一体的に設けられているため、乗り上げ部をロック部の別部品として前面扉や本体ケースに取り付ける必要がなく、前面扉と遊技機の本体ケースとの限られたスペースを効率よく使うことができると共に、製作コストも低減でき、更に組み付け工数の低減にも貢献できる。
【００５３】
仮に乗り上げ部をロック部と別体とすることもできる。この場合、乗り上げ部はロック部とは独立して前面扉に取り付けられることになる。この場合、乗り上げ部自体の組付誤差と、ロック部自体の組付誤差との双方が相乗的に影響するおそれがある。この場合、ロック部の高さ位置が本来あるべき高さ位置とならず、正確なロック機能が損なわれるおそれがある。この点本発明に係る遊技機用施錠装置によれば、ロック部の主要素であるボディを構成する板状材に乗り上げ部が一体的に成形されているため、ロック部を前面扉に組み付ければ、ロック部と一体的な乗り上げ部が前面扉に自動的に組み付けられることになり、組付誤差による影響を軽減するのに有利である。
【００５４】
仮に乗り上げ部とロック部が別部品であると、一般的には、乗り上げ部はロック部から独立して離れた位置に組み付けられることになる。この場合、乗り上げ部と係止爪部材の係止溝との間の高さ距離が長くなりがちである。この場合、乗り上げ部が補助部材によりΔＤ持ち上げられたら、係止爪部材の係止溝の乗り上げ量はΔＤよりもかなり小さくなるおそれがある。乗り上げ部と係止爪部材の係止溝との間の部材の弾性撓み等の影響を無視できないためである。この場合、『扉下がり』に対処すべく乗り上げ部の乗上量を必要以上に大きく設定することになりがちである。この点本発明に係る遊技機用施錠装置によれば、乗り上げ部がロック部のボディと一体的に設けられているため、乗り上げ部と係止爪部材の係止溝との間の距離を極力短縮させるのに有利である。このため乗り上げ部が補助部材によりΔＤ持ち上げられたら、係止爪部材の係止溝の持ち上げ量もΔＤ相当量となる。乗り上げ部と係止爪部材の係止溝との間の距離を短くできるためである。このため、上記した『扉下がり』に対処すべく、乗り上げ部の必要乗上量を少な目に設定するのに有利である。
【図面の簡単な説明】
【図１】前面扉を遊技機の本体ケースに対して開放している状態を模式的に示す斜視図である。
【図２】前面扉のロック部を遊技機の本体ケースのストライカに施錠している状態を示す構成図である。
【図３】前面扉のロック部を遊技機の本体ケースのストライカに施錠している状態の要部を拡大して示す構成図である。
【図４】前面扉に取り付けた乗り上げ部が本体ケースの補助部材に乗り上げつつある状態を示す構成図である。
【図５】前面扉のロック部を遊技機の本体ケースのストライカに解錠している状態の要部を拡大して示す構成図である。
【図６】前面扉のロック部に取り付けた乗り上げ部が本体ケースの補助部材に乗り上げる前の状態を示す斜視図である。
【符号の説明】
図中、１は本体ケース、１０は一辺部、１１は他辺部、３は前面扉、３０は一辺部、３１は他辺部、３２はヒンジ、４はストライカ（被係止部）、５は補助部材、６はロック部、６０はボディ、６０４は第２案内面、６０５は第２摺動面、６１は係止爪部材、６１０は係止溝、６１２は第１係止爪、６１４は第２係止爪、６１ａは第１枢支部、６２は乗り上げ部、６３は保持部材、６３ａは第２枢支部、６４はバネ部材、６５はキーシリンダ（キー操作部）、８はストッパ部材を示す。
【図１】
0004189150.tif 000002
【図２】
0004189150.tif 000003
【図３】
0004189150.tif 000004
【図４】
0004189150.tif 000005
【図５】
0004189150.tif 000006
【図６】
0004189150.tif 000007